【手続補正書】
【提出日】平成17年12月20日(2005.12.20)
【手続補正１】
【補正対象書類名】特許請求の範囲
【補正対象項目名】全文
【補正方法】変更
【補正の内容】
【特許請求の範囲】
【請求項１】
予定時刻に従って配信される番組コンテンツに関連する情報を提供する情報処理装置であって、
ユーザによるコンテンツに対する操作に応じて基点番組を設定する基点番組設定手段と、
基点番組に関連する番組情報を含んだ基点番組関連情報ページを生成する基点番組関連情報生成手段と、
前記基点番組関連情報ページを表示出力するように制御するページ表示制御手段と、
を具備することを特徴とする情報処理装置。
【請求項２】
前記基点番組設定手段は、ユーザが再生中又は視聴中の番組コンテンツ、又は所定の番組表から選択した番組コンテンツを基点番組に設定する、
ことを特徴とする請求項１に記載の情報処理装置。
【請求項３】
前記基点番組設定手段は、基点番組に関する番組特定情報を自動的に抽出し、
前記基点番組関連情報生成手段は、基点番組に関する番組特定情報に基づいて基点番組を特定し、当該基点番組に関する基点番組関連情報ページを生成する、
ことを特徴とする請求項１に記載の情報処理装置。
【請求項４】
前記基点番組設定手段は、基点番組に関する番組ＩＤを番組特定情報として抽出する、
ことを特徴とする請求項３に記載の情報処理装置。
【請求項５】
前記基点番組設定手段は、少なくとも基点番組の放送日時と放送局、コンテンツを受信する地域を特定する情報のいずれかを番組特定情報として抽出する、
ことを特徴とする請求項３に記載の情報処理装置。
【請求項６】
番組との関連度が割り当てられている複数の項目からなる番組情報を管理する番組情報管理手段をさらに備え、
前記基点番組関連情報生成手段は、基点番組との関連度に基づいて項目毎に基点番組と関連する番組を検索し、該検索結果を基点番組との関連度の強い項目の順に関連番組を配置して基点番組関連情報ページを生成する、
ことを特徴とする請求項１に記載の情報処理装置。
【請求項７】
前記番組情報管理手段は、番組コンテンツ毎に、「次回放送予定」、「出演者」、「タイトル」、「ジャンル」などの番組属性やその他の番組関連付け方法を複数の項目に分けて番組情報を管理している、
ことを特徴とする請求項６に記載の情報処理装置。
【請求項８】
前記番組情報管理手段は、「次回放送予定」、「出演者」、「タイトル」、「ジャンル」の順に基点番組との関連度を割り当てて番組情報を管理している、
ことを特徴とする請求項７に記載の情報処理装置。
【請求項９】
前記基点番組関連情報生成手段又は前記ページ表示制御手段は、２以上の項目において同じ番組コンテンツが基点番組に対する関連番組として抽出されている場合、２回目以降の該関連番組の表示を省略する、
ことを特徴とする請求項６に記載の情報処理装置。
【請求項１０】
前記ページ表示制御手段は、ページ・サイズが一定となるように各項目についての関連番組の個数を調節して表示出力するように制御する、
ことを特徴とする請求項６に記載の情報処理装置。
【請求項１１】
前記基点番組関連情報ページの表示画面上で基点番組の関連番組又は項目についてのユーザ選択を受容するユーザ入力手段と、
ユーザによって選択された関連番組についての詳細情報及び／又は該関連番組について適用可能な操作方法を含んだ詳細操作画面を提示する詳細画面提示手段と、
をさらに備えることを特徴とする請求項１に記載の情報処理装置。
【請求項１２】
番組コンテンツを受信する受信手段と、受信した番組コンテンツを録画／録画予約する録画手段をさらに備え、
各関連番組について適用可能な操作方法は１以上の録画予約方法を含み、
該詳細操作画面を介して選択された録画予約方法に基づいて該関連番組の録画予約を設定する、
ことを特徴とする請求項１１に記載の情報処理装置。
【請求項１３】
録画予約方法として、前記基点番組関連情報ページ上に配置されたすべての関連番組の録画予約を一括して設定する方法と、前記基点番組関連情報ページ上に配置された関連番組のうちユーザが選択した番組を一括して録画予約を設定する方法を含む、
ことを特徴とする請求項１２に記載の情報処理装置。
【請求項１４】
前記基点番組関連情報ページの表示画面上でユーザが選択した項目をキーワードとして登録する手段をさらに備える、
ことを特徴とする請求項１１に記載の情報処理装置。
【請求項１５】
ユーザ操作に応答して基点番組を移動させる基点番組移行手段をさらに備え、
前記基点番組関連情報生成手段は、基点番組が移動したことに応答して、基点番組関連情報ページを改めて生成する、
ことを特徴とする請求項１に記載の情報処理装置。
【請求項１６】
前記基点番組移行手段は、基点番組関連情報ページ中の関連番組についての詳細操作画面上で基点番組として選択されたことに応答して、基点番組を当該関連番組に移行する、
ことを特徴とする請求項１５に記載の情報処理装置。
【請求項１７】
前記基点番組移行手段は、基点番組関連情報ページ中の関連番組についての詳細操作画面上で当該関連番組の録画予約を設定したことに応答して当該関連番組を基点番組に設定する、
ことを特徴とする請求項１５に記載の情報処理装置。
【請求項１８】
前記基点番組移行手段は、基点番組関連情報ページ中の関連番組についての詳細操作画面上で当該関連番組の再生を設定し、再生動作が停止又は終了したことに応答して当該関連番組を基点番組に設定する、
ことを特徴とする請求項１５に記載の情報処理装置。
【請求項１９】
前記基点番組移行手段により基点番組が移動した履歴を保持する履歴保持手段と、保持された履歴に基づいて元の基点番組関連情報ページを再現するページ再現手段をさらに備える、
ことを特徴とする請求項１５に記載の情報処理装置。
【請求項２０】
前記基点番組関連情報ページの表示画面上で基点番組の検索についてのユーザ指示を受容するユーザ入力手段をさらに備え、
前記基点番組移行手段は、ユーザ操作に応答して所定の検索条件に基づいて基点番組を検索し移動させる、
ことを特徴とする請求項１５に記載の情報処理装置。
【請求項２１】
前記基点番組移行手段は、時間軸上の前方検索を指示するユーザ操作に応答して、現在設定されている基点番組と同じ放送局で現在の放送開始日時以下で最大の放送終了日時を持つ番組を検索し、基点番組を移動させる、
ことを特徴とする請求項２０に記載の情報処理装置。
【請求項２２】
前記基点番組移行手段は、時間軸上の後方検索を指示するユーザ操作に応答して、現在設定されている基点番組と同じ放送局で現在の放送終了日時以上で最小の放送開始日時を持つ番組を検索し、基点番組を移動させる、
ことを特徴とする請求項２０に記載の情報処理装置。
【請求項２３】
前記基点番組関連情報生成手段は、直近に放送される予定の番組から優先的に提示する基点番組関連情報ページを生成する、
ことを特徴とする請求項６に記載の情報処理装置。
【請求項２４】
前記基点番組関連情報生成手段は、基点番組についての関連番組を所定の基準に従ってソーティングし、上位所定数の番組を直近に放送される予定の順に関連番組を配置して基点番組関連情報ページを生成する、
ことを特徴とする請求項２３に記載の情報処理装置。
【請求項２５】
前記基点番組関連情報ページ上で所定の条件に合致した場合に、特別なコンテンツを提示する、
ことを特徴とする請求項１に記載の情報処理装置。
【請求項２６】
番組全体又は番組の任意の部分に関連付けられた情報を管理する番組情報管理手段をさらに備え、
前記基点番組設定手段は、ユーザによるコンテンツ操作に応答して少なくとも基点番組の放送日時と放送局、コンテンツを受信する地域を特定する情報のいずれかを番組特定情報として抽出し、
前記基点番組情報生成手段は、前記番組特定情報を基に、基点番組全体又は基点番組上でユーザによりコンテンツ操作が行なわれた部分に関連付けられた番組情報を前記番組情報管理手段より取り出し、該番組関連情報を利用して基点番組関連情報ページを生成する、
ことを特徴とする請求項１に記載の情報処理装置。
【請求項２７】
前記基点番組情報生成手段は、基点番組全体に関連付けられた番組情報と、基点番組の特定の部分に関連付けられた番組情報を同時に利用した基点番組関連情報ページを生成する、
ことを特徴とする請求項２６に記載の情報処理装置。
【請求項２８】
前記番組情報管理手段は、番組全体又は番組の任意の部分に関連付けられた情報へアクセスするための所定の情報空間上における資源識別情報を管理し、
前記基点番組情報生成手段は、前記番組特定情報を基に得られた資源識別情報を利用して前記所定の情報空間上で番組関連情報を検索し基点番組関連情報ページを生成する、
ことを特徴とする請求項２６に記載の情報処理装置。
【請求項２９】
前記番組情報管理手段は、番組全体又は番組の任意の部分に関連するキーワード情報を管理し、
前記基点番組情報生成手段は、前記番組特定情報を基に得られたキーワード情報を利用して所定の情報空間上で番組関連情報を検索し基点番組関連情報ページを生成する、
ことを特徴とする請求項２６に記載の情報処理装置。
【請求項３０】
前記番組情報管理手段は、番組全体又は番組の任意の部分に関連する情報として、同じ番組内の他の部分、あるいは他の番組又は他の番組の任意の部分への関連情報を管理し、
基点番組関連情報ページ上での同じ番組内の他の部分、他の番組又は他の番組の任意の部分への関連情報に対するユーザ操作に応答し、当該番組又は番組部分の再生を起動する、
ことを特徴とする請求項２６に記載の情報処理装置。
【請求項３１】
現在視聴又は再生中の番組又は番組の部分に関連付けられた情報が存在するか否かを検索する手段と、
関連付けられた情報が存在する場合に、当該関連情報を表す表示情報を画面上でユーザに提示する手段と、
をさらに備えることを特徴とする請求項１に記載の情報処理装置。
【請求項３２】
前記ページ表示制御手段は、ユーザの嗜好情報に沿った関連情報の提示を行なう、
ことを特徴とする請求項１に記載の情報処理装置。
【請求項３３】
予定時刻に従って配信される番組コンテンツに関連する情報を提供する情報処理方法であって、
操作上の基点となる基点番組を設定する基点番組設定ステップと、
基点番組に関連する番組情報を含んだ基点番組関連情報ページを生成する基点番組関連情報生成ステップと、
前記基点番組関連情報ページを表示出力するように制御するページ表示制御ステップと、
を具備することを特徴とする情報処理方法。
【請求項３４】
前記基点番組設定ステップでは、ユーザが再生中又は視聴中の番組コンテンツ、あるいは所定の番組表から選択した番組コンテンツを基点番組に設定する、
ことを特徴とする請求項３３に記載の情報処理方法。
【請求項３５】
前記基点番組設定ステップでは、基点番組に関する番組特定情報を自動的に抽出し、
前記基点番組関連情報生成ステップでは、基点番組に関する番組特定情報に基づいて基点番組を特定し、当該基点番組に関する基点番組関連情報ページを生成する、
ことを特徴とする請求項３３に記載の情報処理方法。
【請求項３６】
前記基点番組設定ステップでは、基点番組に関する番組ＩＤを番組特定情報として抽出する、
ことを特徴とする請求項３５に記載の情報処理方法。
【請求項３７】
前記基点番組設定ステップでは、少なくとも基点番組の放送日時と放送局、コンテンツを受信する地域を特定する情報のいずれかを番組特定情報として抽出する、
ことを特徴とする請求項３５に記載の情報処理方法。
【請求項３８】
番組との関連度が割り当てられている複数の項目からなる番組情報がデータベース管理されており、
前記基点番組関連情報生成ステップでは、基点番組との関連度に基づいて項目毎に基点番組と関連する番組をデータベース検索し、該検索結果を基点番組との関連度の強い項目の順に関連番組を配置して基点番組関連情報ページを生成する、
ことを特徴とする請求項３３に記載の情報処理方法。
【請求項３９】
前記番組情報データベースでは、番組コンテンツ毎に、「次回放送予定」、「出演者」、「タイトル」、「ジャンル」などの番組属性やその他の番組関連付け方法を複数の項目に分けて管理している、
ことを特徴とする請求項３８に記載の情報処理方法。
【請求項４０】
前記番組情報データベースでは、「次回放送予定」、「出演者」、「タイトル」、「ジャンル」の順に基点番組との関連度が割り当てられている、
ことを特徴とする請求項３９に記載の情報処理方法。
【請求項４１】
前記基点番組関連情報生成ステップ又は前記ページ表示制御ステップでは、２以上の項目において同じ番組コンテンツが基点番組に対する関連番組として抽出されている場合、２回目以降の該関連番組の表示を省略する、
ことを特徴とする請求項３８に記載の情報処理方法。
【請求項４２】
前記ページ表示制御ステップでは、ページ・サイズが一定となるように各項目についての関連番組の個数を調節して表示出力するように制御する、
ことを特徴とする請求項３８に記載の情報処理方法。
【請求項４３】
前記基点番組関連情報ページの表示画面上で基点番組の関連番組又は項目についてのユーザ選択を受容するユーザ入力ステップと、
ユーザによって選択された関連番組についての詳細情報及び／又は該関連番組について適用可能な操作方法を含んだ詳細操作画面を提示する詳細画面提示ステップと、
をさらに備えることを特徴とする請求項３３に記載の情報処理方法。
【請求項４４】
各関連番組について適用可能な操作方法は１以上の録画予約方法を含み、
該詳細操作画面を介して選択された録画予約方法に基づいて該関連番組の録画予約を設定する、
ことを特徴とする請求項４３に記載の情報処理方法。
【請求項４５】
録画予約方法として、前記基点番組関連情報ページ上に配置されたすべての関連番組の録画予約を一括して設定する方法と、前記基点番組関連情報ページ上に配置された関連番組のうちユーザが選択した番組を一括して録画予約を設定する方法を含む、
ことを特徴とする請求項４４に記載の情報処理方法。
【請求項４６】
前記基点番組関連情報ページの表示画面上でユーザが選択した項目をキーワードとして登録するステップをさらに備える、
ことを特徴とする請求項４３に記載の情報処理方法。
【請求項４７】
ユーザ操作に応答して基点番組を移動させる基点番組移行ステップをさらに備え、
前記基点番組関連情報生成ステップでは、基点番組が移動したことに応答して、基点番組関連情報ページを改めて生成する、
ことを特徴とする請求項３３に記載の情報処理方法。
【請求項４８】
前記基点番組移行ステップでは、基点番組関連情報ページ中の関連番組についての詳細操作画面上で基点番組として選択されたことに応答して、基点番組を当該関連番組に移行する、
ことを特徴とする請求項４７に記載の情報処理方法。
【請求項４９】
前記基点番組移行ステップでは、基点番組関連情報ページ中の関連番組についての詳細操作画面上で当該関連番組の録画予約を設定したことに応答して当該関連番組を基点番組に設定する、
ことを特徴とする請求項４７に記載の情報処理方法。
【請求項５０】
前記基点番組移行ステップでは、基点番組関連情報ページ中の関連番組についての詳細操作画面上で当該関連番組の再生を設定し、再生動作が停止又は終了したことに応答して当該関連番組を基点番組に設定する、
ことを特徴とする請求項４７に記載の情報処理方法。
【請求項５１】
前記基点番組移行ステップにおいて基点番組が移動した履歴を保持する履歴保持ステップと、保持された履歴に基づいて元の基点番組関連情報ページを再現するページ再現ステップをさらに備える、
ことを特徴とする請求項４７に記載の情報処理方法。
【請求項５２】
前記基点番組関連情報ページの表示画面上で基点番組の検索についてのユーザ指示を受容するユーザ入力ステップをさらに備え、
前記基点番組移行ステップでは、ユーザ操作に応答して所定の検索条件に基づいて基点番組を検索し移動させる、
ことを特徴とする請求項４７に記載の情報処理方法。
【請求項５３】
前記基点番組移行ステップでは、時間軸上の前方検索を指示するユーザ操作に応答して、現在設定されている基点番組と同じ放送局で現在の放送開始日時以下で最大の放送終了日時を持つ番組を検索し、基点番組を移動させる、
ことを特徴とする請求項５２に記載の情報処理方法。
【請求項５４】
前記基点番組移行ステップでは、時間軸上の後方検索を指示するユーザ操作に応答して、現在設定されている基点番組と同じ放送局で現在の放送終了日時以上で最小の放送開始日時を持つ番組を検索し、基点番組を移動させる、
ことを特徴とする請求項５２に記載の情報処理方法。
【請求項５５】
前記基点番組関連情報生成ステップでは、直近に放送される予定の番組から優先的に提示する基点番組関連情報ページを生成する、
ことを特徴とする請求項３８に記載の情報処理方法。
【請求項５６】
前記基点番組関連情報生成ステップでは、基点番組についての関連番組を所定の基準に従ってソーティングし、上位所定数の番組を直近に放送される予定の順に関連番組を配置して基点番組関連情報ページを生成する、
ことを特徴とする請求項５５に記載の情報処理方法。
【請求項５７】
前記基点番組関連情報ページ上で所定の条件に合致した場合に、特別なコンテンツを提示する、
ことを特徴とする請求項３３に記載の情報処理方法。
【請求項５８】
番組全体又は番組の任意の部分に関連付けられた情報がデータベースで管理されており、
前記基点番組設定ステップは、ユーザによるコンテンツ操作に応答して少なくとも基点番組の放送日時と放送局、コンテンツを受信する地域を特定する情報のいずれかを番組特定情報として抽出し、
前記基点番組情報生成ステップでは、前記番組特定情報を基に、基点番組全体又は基点番組上でユーザによりコンテンツ操作が行なわれた部分に関連付けられた番組情報を前記データベースより取り出し、該番組関連情報を利用して基点番組関連情報ページを生成する、
ことを特徴とする請求項３３に記載の情報処理方法。
【請求項５９】
前記基点番組情報生成ステップでは、基点番組全体に関連付けられた番組情報と、基点番組の特定の部分に関連付けられた番組情報を同時に利用した基点番組関連情報ページを生成する、
ことを特徴とする請求項５８に記載の情報処理方法。
【請求項６０】
前記データベースでは、番組全体又は番組の任意の部分に関連付けられた情報へアクセスするための所定の情報空間上における資源識別情報が管理され、
前記基点番組情報生成ステップでは、前記番組特定情報を基に得られた資源識別情報を利用して前記所定の情報空間上で番組関連情報を検索し基点番組関連情報ページを生成する、
ことを特徴とする請求項５８に記載の情報処理方法。
【請求項６１】
前記データベースでは、番組全体又は番組の任意の部分に関連するキーワード情報が管理され、
前記基点番組情報生成ステップでは、前記番組特定情報を基に得られたキーワード情報を利用して所定の情報空間上で番組関連情報を検索し基点番組関連情報ページを生成する、
ことを特徴とする請求項５８に記載の情報処理方法。
【請求項６２】
前記データベースでは、番組全体又は番組の任意の部分に関連する情報として、同じ番組内の他の部分、あるいは他の番組又は他の番組の任意の部分への関連情報が管理され、
基点番組関連情報ページ上での同じ番組内の他の部分、あるいは他の番組又は他の番組の任意の部分への関連情報に対するユーザ操作に応答し、当該番組又は番組部分の再生を起動する、
ことを特徴とする請求項５８に記載の情報処理方法。
【請求項６３】
現在視聴又は再生中の番組又は番組の部分に関連付けられた情報が存在するか否かを検索するステップと、
関連付けられた情報が存在する場合に、当該関連情報を表す表示情報を画面上でユーザに提示するステップと、
をさらに備えることを特徴とする請求項３３に記載の情報処理方法。
【請求項６４】
前記ページ表示制御ステップでは、ユーザの嗜好情報に沿った関連情報の提示を行なう、
ことを特徴とする請求項３３に記載の情報処理方法。
【請求項６５】
予定時刻に従って配信される番組コンテンツに関連する情報を提供するための処理をコンピュータ・システム上で実行するようにコンピュータ可読形式で記述されたコンピュータ・プログラムであって、前記コンピュータ・システムに対し、
操作上の基点となる基点番組を設定する基点番組設定手順と、
基点番組に関連する番組情報を含んだ基点番組関連情報ページを生成する基点番組関連情報生成手順と、
前記基点番組関連情報ページを表示出力するように制御するページ表示制御手順と、
を実行させることを特徴とするコンピュータ・プログラム。
【手続補正２】
【補正対象書類名】明細書
【補正対象項目名】００２１
【補正方法】変更
【補正の内容】
【００２１】
本発明は、上記課題を参酌してなされたものであり、その第１の側面は、予定時刻に従って配信される番組コンテンツに関連する情報を提供する情報処理装置であって、
ユーザによるコンテンツに対する操作に応じて基点番組を設定する基点番組設定手段と、
基点番組に関連する番組情報を含んだ基点番組関連情報ページを生成する基点番組関連情報生成手段と、
前記基点番組関連情報ページを表示出力するように制御するページ表示制御手段と、
を具備することを特徴とする情報処理装置である。
【手続補正３】
【補正対象書類名】明細書
【補正対象項目名】００２３
【補正方法】変更
【補正の内容】
【００２３】
ユーザのコンテンツ操作履歴やユーザへのアンケート結果を基にユーザの嗜好情報を取得しておき、基点番組関連情報ページを表示する前記ページ表示制御手段は、ユーザの嗜好情報に沿った関連情報の提示を行なうようにしてもよい。
【手続補正４】
【補正対象書類名】明細書
【補正対象項目名】００３０
【補正方法】変更
【補正の内容】
【００３０】
ここで、前記基点番組関連情報生成手段又は前記ページ表示制御手段は、２以上の項目において同じ番組コンテンツが基点番組に対する関連番組として抽出されている場合、２回目以降の該関連番組の表示を省略して、限られたページ表示画面内でより多くの関連番組を提示できるようにしてもよい。また、前記ページ表示制御手段は、ページ・サイズが一定となるように各項目についての関連番組の個数を調節して表示出力するようにしてもよい。
【手続補正５】
【補正対象書類名】明細書
【補正対象項目名】００６６
【補正方法】変更
【補正の内容】
【００６６】
また、本発明の第２の側面は、予定時刻に従って配信される番組コンテンツに関連する情報を提供するための処理をコンピュータ・システム上で実行するようにコンピュータ可読形式で記述されたコンピュータ・プログラムであって、前記コンピュータ・システムに対し、
操作上の基点となる基点番組を設定する基点番組設定手順と、
基点番組に関連する番組情報を含んだ基点番組関連情報ページを生成する基点番組関連情報生成手順と、
前記基点番組関連情報ページを表示出力するように制御するページ表示制御手順と、
を実行させることを特徴とするコンピュータ・プログラムである。
【手続補正６】
【補正対象書類名】明細書
【補正対象項目名】００９０
【補正方法】変更
【補正の内容】
【００９０】
伝送部３００では、番組情報はマルチメディア符号化部３０１において符号化されてコンテンツ伝送系３０２に渡される。合成部３０４は、コンテンツ伝送系３０２及びＡＶ字幕スーパ伝送系３０３の各々の出力データを合成する。そして、変調部３０５では、合成信号をＲＦ変調して、ＲＦ伝送路を介して受信機（放送受信端末）１０へ向けて送信する。
【手続補正７】
【補正対象書類名】明細書
【補正対象項目名】０１０６
【補正方法】変更
【補正の内容】
【０１０６】
ハード・ディスク・ドライブ（ＨＤＤ）１７は、プログラムやデータなどを所定フォーマットのファイル形式で蓄積するための外部記憶装置であり、数十〜数百ＧＢ程度の比較的大容量を持つ。ＨＤＤ１７は、ハード・ディスク・インターフェース１６を介してバス５０に接続される。本実施形態では、ＨＤＤ１７は、受信した放送番組の録画・録画予約や再生、番組の関連情報の蓄積などのために利用される。
【手続補正８】
【補正対象書類名】明細書
【補正対象項目名】０１３９
【補正方法】変更
【補正の内容】
【０１３９】
録画再生処理部６０１は、オンエア番組の視聴中にユーザがリモコン６６のボタンを押すなど所定の操作が行なわれたことに応答して、放送時刻や放送チャンネル、放送地域などを取得し、これらを番組特定情報としてページ表示ブラウザ６０３に渡す。また、番組／コンテンツ機器内メタデータ・データベース６０２は、端末１０内で番組状態が変化したことに応答して、番組情報を随時情報提供サーバ５００へ送信する。
【手続補正９】
【補正対象書類名】明細書
【補正対象項目名】０１５８
【補正方法】変更
【補正の内容】
【０１５８】
情報提供サーバ５００側は、放送番組本編のコンテンツやこれに付随するＥＰＧを格納するＥＰＧデータベース５１０と、番組コンテンツまたはその特定の部分に関連付けられた情報を格納する番組関連情報データベース５１１と、ユーザ毎の端末における視聴又は録画／録画予約をしている番組状態の情報を管理する各端末状態データベース５１３と、番組／コンテンツ・メタデータ及び端末状態に基づいて番組関連情報ページを生成し端末側に提供するアプリケーション・サーバ５０４とで構成される。番組関連情報ページの詳細については、後述に譲る。
【手続補正１０】
【補正対象書類名】明細書
【補正対象項目名】０１６１
【補正方法】変更
【補正の内容】
【０１６１】
ページ表示ブラウザ６０３は、情報提供サーバ５００に対して、番組関連情報ページを要求する。この要求には番組特定情報が含まれている。情報提供サーバ５００側では、番組／コンテンツ・メタデータ及び端末状態に基づいて番組関連情報ページを生成して、端末１０に返信する。そして、ページ表示ブラウザ６０３は、番組関連情報ページを表示して、ユーザの閲覧に供する。
【手続補正１１】
【補正対象書類名】明細書
【補正対象項目名】０２０８
【補正方法】変更
【補正の内容】
【０２０８】
図２５には、前者の基点番組関連情報ページ上に配置されたすべての関連番組の録画予約を一括して設定する画面構成例を示している。同図に示す例では、基点番組関連情報ページ上では、放送予定番組の一覧が表示されている。但し、図面の簡素化のため、番組属性毎の分類を行なっていない。同ページ画面の右上方には「すべて予約」ボタンが配設されており、ユーザがこのボタンを選択操作することにより、基点番組関連情報ページ上のすべての関連番組についての録画予約設定処理が起動する。
【手続補正１２】
【補正対象書類名】図面
【補正対象項目名】図８
【補正方法】変更
【補正の内容】
【図８】
2005102109.tif 000001
【手続補正１３】
【補正対象書類名】図面
【補正対象項目名】図２０
【補正方法】変更
【補正の内容】
【図２０】
2005102109.tif 000002
【手続補正１４】
【補正対象書類名】図面
【補正対象項目名】図２５
【補正方法】変更
【補正の内容】
【図２５】
2005102109.tif 000003
【手続補正１５】
【補正対象書類名】図面
【補正対象項目名】図２６
【補正方法】変更
【補正の内容】
【図２６】
2005102109.tif 000004